(57)【特許請求の範囲】
【請求項１】
ガス供給配管から送入されるガスを受け入れて反応室内に搬送供給するためのガス流路構造が、
ガス供給配管から送入されるガス流を受け入れて流速を低減させる前段部と、前段部で減速されたガス流を前記ガス流の流線と垂直で前記反応室内の基板載置面と平行な幅方向に拡散させて放出する後段部を有し、
前記前段部が、前記ガス供給配管から送入された前記ガス流を衝突させて放散させる衝突放散構造部と、前記衝突放散構造部から放散された前記ガス流を外部に開口した放出口に導いて前記後段部に向けて放出する誘導放出構造部とからなり、
前記衝突放散構造部が、前記ガス供給配管から送入された前記ガス流を受け入れる送入口より大きく開口して前記誘導放出構造部に連通する開口部を有する一部開口空間を内包して形成する開放壁構造を備え、
前記誘導放出構造部内のガス流路空間が平板状で、前記ガス流路空間の容積が前記一部開口空間より大きく、
前記誘導放出構造部の前記ガス流路空間の平板状の広がり方向の端面の一部に前記放出口が形成されていることを特徴とする化学的気相成長装置。
【請求項２】
前記前段部の前記衝突放散構造部に前記送入口が設けられ、前記送入口とは別個に前記開口部が形成されていることを特徴とする請求項１に記載の化学的気相成長装置。
【請求項３】
前記前段部の前記誘導放出構造部に前記送入口が設けられ、前記前段部の前記衝突放散構造部が前記誘導放出構造部の前記ガス流路空間内に形成され、
前記衝突放散構造部が前記ガス供給配管から送入された前記ガス流を、前記開口部を通して前記一部開口空間内に受け入れ、放散した前記ガス流を、同じ前記開口部を通して前記誘導放出構造部に放出することを特徴とする請求項１に記載の化学的気相成長装置。
【請求項４】
前記前段部の前記誘導放出構造部の前記ガス流路空間が屈曲した平板状に構成され、前記誘導放出構造部内の前記ガス流の流線が前記ガス流路空間に沿って屈曲していることを特徴とする請求項１〜３の何れか１項に記載の化学的気相成長装置。
【請求項５】
前記前段部の前記衝突放散構造部の前記放出口が形成されている端面の面積が、前記放出口の開口面積より大きいことを特徴とする請求項１〜４の何れか１項に記載の化学的気相成長装置。
【請求項６】
前記ガス流路構造の前記前段部が前記反応室の隔壁外に設置され、前記ガス流路構造の前記後段部が前記反応室の隔壁内に設置されていることを特徴とする請求項１〜５の何れか１項に記載の化学的気相成長装置。
【請求項７】
前記後段部が、前記ガス流の流線が４５度以上屈曲する屈曲個所を２個所以上有する屈曲した平板状のガス流路空間を有し、
少なくとも１ヶ所以上の前記屈曲個所においてその上流側と下流側で前記ガス流路空間の前記ガス流の流線に垂直な断面での断面積が拡大していることを特徴とする請求項１〜６の何れか１項に記載の化学的気相成長装置。
【請求項８】
複数の前記ガス供給配管から各別に前記反応室内に至るガス流路を複数備え、
前記各ガス流路が前記ガス流路構造を備えていることを特徴とする請求項１〜７の何れか１項に記載の化学的気相成長装置。
【請求項９】
前記複数のガス流路の前記各ガス流路構造において、前記前段部同士が多段に積層されて一体に形成され、前記後段部同士が多段に積層されて一体に形成されていることを特徴とする請求項８に記載の化学的気相成長装置。
【請求項１０】
ガス供給配管から送入されるガスを受け入れて反応室内に搬送供給するためのガス流路装置であって、請求項１〜９の何れか１項に記載の化学的気相成長装置のガス流路構造を備えることを特徴とするガス流路装置。
【発明の詳細な説明】
【技術分野】
【０００１】
本発明は、化学的気相成長装置に関し、特に、ガス供給配管から送入されるガスを受け入れて反応室内に搬送供給するためのガス流路構造の改良技術に関する。
【背景技術】
【０００２】
化学的気相成長装置の反応室は、大別して縦型と横型に分類される。縦型反応室は、円筒形状の反応室の円筒軸方向を鉛直方向に設定し、基板を載置するサセプタの表面を水平に設定し、反応室の上方から基板面上に原料ガスが供給される構造となっている。縦型反応室は、反応室内の容積が大きくなるため、対流による攪拌等により供給ガスの滞留時間が長くなり堆積物の組成制御が困難であるという問題がある。これに対して、横型反応室は、円筒形状の反応室の円筒軸方向を水平方向に設定し、基板を載置するサセプタの表面を水平または斜めに設定し、反応室の側方から基板面上に原料ガスが供給される構造となっている。横型反応室は、縦型反応室より反応室内の容積を小さくでき、対流の影響を軽減でき、堆積物の組成制御が容易になるという利点がある。
【０００３】
また、横型反応室内において基板面上に原料ガスを供給する構造としては、基板面内で均質な堆積物を成長させるために、供給ガスの対流を抑制し、基板面の直径方向に対して均等に分布した流速で原料ガスを供給できることが望ましい。
【０００４】
かかる要請に対して、従来は、ガス供給配管から送入される原料ガスを受け入れて反応室内に搬送供給するためのガス流路装置（「フローチャネル」とも称される。）は、図１４（Ａ）の平面図及び同図（Ｂ）の側方断面透視図に示すように、前段のガス供給配管９３が内部に挿入されている直方体の箱部分７１と、上面視略三角形状に形成され、下流端の原料ガスの放出口７３が横長のスリット状に開口され、下流へ行く程に流路断面の幅がテーパー状に広がり高さが低くなる後段部７２が一体に形成された構造となっている（例えば、非特許文献１の図４．４（ａ）及び非特許文献２の図８．９等参照）。尚、図１４（Ｂ）の側方断面透視図は、図１４（Ａ）の中心線（破線表示）を通る断面における断面透視図である。尚、図中のｘｙｚ座標は、ガス流路装置７０の反応室に取り付けた状態を想定し、ｘ方向を基板表面及び当該表面上に供給されるガス流の流線（流れ方向）と平行な方向、ｙ方向を基板表面と平行で、当該表面上に供給されるガス流の流線と垂直な方向、ｚ方向を基板表面と垂直な方向と規定する。
【０００５】
【非特許文献１】赤崎勇編著、「アドバンストエレクトロニクスシリーズ（Ｉ−１）III−Ｖ族化合物半導体」、初版、培風館、１９９４年５月２０日、ｐ．７２
【非特許文献２】赤崎勇編著、「アドバンストエレクトロニクスシリーズ（Ｉ−２１）III族窒化物半導体」、初版、培風館、１９９９年１２月８日、ｐ．１５４
【発明の開示】
【発明が解決しようとする課題】
【０００６】
ＧａＸＡｌ１−ＸＮ（０≦Ｘ≦１）等の窒化物半導体を成長させる化学的気相成長装置では、図１５に模式的に示すように、ガス供給配管から搬送される窒素原料となるアンモニア（ＮＨ３）とキャリアガス（Ｈ２）を反応室内に導入するガス流路装置と、ガリウム（Ｇａ）またはアルミニウム（Ａｌ）の原料となるＴＭＧ（トリメチルガリウム）、ＴＭＡ（トリメチルガリウム）等の有機金属とキャリアガス（Ｈ２）を反応室内に導入する別系統のガス流路装置が積層されて、夫々のガス流路装置の横長の原料ガス放出口が高さ方向に積層して近接配置され、各原料ガスが基板面に近接して横方向から供給される構造となっている。
【０００７】
ここで、原料ガスを、例えば管断面積が３ｍｍ２程度（管内径２ｍｍ程度）のガス供給配管を通して、０．１ｍ３／分の流量でガス流路装置に送入すると、ガス流路装置に送入された時点での流速は、約５６０ｍ／秒と音速以上の極めて高速となる。かかる高速の原料ガス流をそのままの速度でガス流路装置に送入すると、図１４に示すような構造であっても原料ガス放出口から放出される原料ガス流の一部はあまり減速されず、しかも、原料ガス放出口の幅方向に対して流速分布に大きなバラツキが生じて基板面内で均質な膜質の堆積物が成長できないという問題がある。
【０００８】
そこで、従来は、図１４に示すように、ガス供給配管９３の端部を遮蔽して、その端部手前の側壁部に複数のノズル孔９４を開口して、ノズル孔９４からシャワー状に噴出することで減速された原料ガス流をガス流路装置７０に送入する構造を採用していた。
【０００９】
しかし、図１４に示す従来構造のガス流路装置７０では、以下に列挙する問題点があり、ガス供給配管９３の端部構造を改良して原料ガス流の送入速度を減じても、原料ガス放出口の幅方向に対して流速分布に有意なバラツキが残り、基板面内で均質な膜質及び特性の堆積物の成長が困難であるという問題がある。
【００１０】
図１４に示す従来構造のガス流路装置の第１の問題点は、ガス供給配管から送入されたガス流が、空間的な流速分布のバラツキや時間的な流速変動が十分に抑制されずに放出される点である。つまり、図１４に示すように、ガス供給配管９３の端部手前の側壁部に設けた複数のノズル孔９４から、ガス流路装置７０に挿入されたガス供給配管の先端部分を収容する直方体状の箱部分７１の側壁面にガス流が噴出されるので、当該箱部分７１内におけるガス流の圧力は、側壁面近傍で高圧状態となる。このため、直方体状の箱部分からテーパー状に広がる後段部７２のガス流路に送入された時点でガス流の幅方向（図１４中のｙ方向）の流速分布は、中央が低速で流線の中心に対して左右に高速部分が生じる（図１６参照）。更に、テーパー状に広がる後段部７２の流路は、送入された原料ガス流が十分に攪拌されず放出される構造であるため、空間的な流速分布のバラツキはそのまま維持され放出口７３から基板表面上に放出される。更に、テーパー状に形成された後段部７２の構造上、送入時の流速変化が途中で余り吸収されずに原料ガスが放出口７３に伝達されるため、時間的な流速変化に弱く、送入側での流速変化の影響が堆積物の膜質に現れ易くなる。
【００１１】
同第２の問題点は、図１５に示すように複数種の原料ガスを一度に供給する場合に、ガス種によって重量が異なり、重い原料ガスほど流速分布のバラツキの影響を受け、また、ガス種によってその影響度が異なることから、基板面上へ原料ガス間の供給速度もばらつき、基板面内で均質な膜質及び均質な組成比の堆積物の成長が困難となる点である。図１６を用いて当該問題点を更に説明する。図１６（Ａ）は、重い原料ガス（例えば、アンモニア（ＮＨ３）とキャリアガス（Ｈ２））の流速分布を示し、図１６（Ｂ）は、軽い原料ガス（例えば、ＴＭＧ、ＴＭＡ等の有機金属とキャリアガス（Ｈ２））の流速分布を示し、図１６（Ｃ）は、上記２つの流速分布を重ねて表示した図である。図１６（Ｃ）より、基板面内で原料ガスの供給量が変動するだけでなく、原料ガス間の供給量差も変動することが分かる。
【００１２】
同第３の問題点は、ガス供給配管の端部手前の側壁部に設けた複数のノズル孔の口径の加工精度が余り高くなく、その口径寸法のバラツキによってガス流路装置への送入時の流速が高速であるため、その流速のバラツキも大きくなり、同じ条件で成長させた堆積物の膜質や特性に装置間でバラツキが生じる点である。
【００１３】
ＧａＸＡｌ１−ＸＮ（０≦Ｘ≦１）等の窒化物半導体を成長させて受光素子や発光素子を作製する場合に、Ｐ型の不純物やＮ型の不純物を原料ガスに混入して供給する際に、当該不純物がガス流路装置の流路内壁に付着して残存し、後続の堆積層に供給されるというメモリ効果を排除するために、ガス流路装置の壁材として当該付着の起こり難い石英が使用される。同第４の問題点は、この石英の加工が困難であるため、各部の加工寸法にバラツキが生じるために、ガス流路装置を別のガス流路装置に交換した場合に、条件出しを再度行う手間が生じる点である。
【００１４】
同第５の問題点は、ガス流路装置が石英製の場合に、３段以上積層可能な形状となると加工が複雑になるため、多段構造が困難である点である。
【００１５】
本発明は上記の問題点に鑑みてなされたものであり、その目的は、ガス供給配管から送入されるガスを受け入れて反応室内の基板面上に、ガス流の流速バラツキを抑制して供給可能な化学的気相成長装置を提供する点にある。
【課題を解決するための手段】
【００１６】
上記目的を達成するための本発明に係る化学的気相成長装置は、ガス供給配管から送入されるガスを受け入れて反応室内に搬送供給するためのガス流路構造が、ガス供給配管から送入されるガス流を受け入れて流速を低減させる前段部と、前段部で減速されたガス流をガス流の流線と垂直で前記反応室内の基板載置面と平行な幅方向に拡散させて放出する後段部を有し、前記前段部が、前記ガス供給配管から送入された前記ガス流を衝突させて放散させる衝突放散構造部と、前記衝突放散構造部から放散された前記ガス流を外部に開口した放出口に導いて前記後段部に向けて放出する誘導放出構造部とからなり、前記衝突放散構造部が、前記ガス供給配管から送入された前記ガス流を受け入れる送入口より大きく開口して前記誘導放出構造部に連通する開口部を有する一部開口空間を内包して形成する開放壁構造を備え、前記誘導放出構造部内のガス流路空間が平板状で、前記ガス流路空間の容積が前記一部開口空間より大きく、前記誘導放出構造部の前記ガス流路空間の平板状の広がり方向の端面の一部に前記放出口が形成されていることを第１の特徴とする。
【００１７】
更に、本発明に係る化学的気相成長装置は、上記第１の特徴に加えて、前記前段部の前記衝突放散構造部に前記送入口が設けられ、前記送入口とは別個に前記開口部が形成されていることを第２の特徴とする。
【００１８】
更に、本発明に係る化学的気相成長装置は、上記第１の特徴に加えて、前記前段部の前記誘導放出構造部に前記送入口が設けられ、前記前段部の前記衝突放散構造部が前記誘導放出構造部の前記ガス流路空間内に形成され、前記衝突放散構造部が前記ガス供給配管から送入された前記ガス流を、前記開口部を通して前記一部開口空間内に受け入れ、放散した前記ガス流を、同じ前記開口部を通して前記誘導放出構造部に放出することを第３の特徴とする。
【００１９】
更に、本発明に係る化学的気相成長装置は、上記何れかの特徴に加えて、前記前段部の前記誘導放出構造部の前記ガス流路空間が屈曲した平板状に構成され、前記誘導放出構造部内の前記ガス流の流線が前記ガス流路空間に沿って屈曲していることを第４の特徴とする。
【００２０】
更に、本発明に係る化学的気相成長装置は、上記何れかの特徴に加えて、前記前段部の前記衝突放散構造部の前記放出口が形成されている端面の面積が、前記放出口の開口面積より大きいことを第５の特徴とする。
【００２１】
更に、本発明に係る化学的気相成長装置は、上記何れかの特徴に加えて、前記ガス流路構造の前記前段部が前記反応室の隔壁外に設置され、前記ガス流路構造の前記後段部が前記反応室の隔壁内に設置されていることを第６の特徴とする。
【００２２】
更に、本発明に係る化学的気相成長装置は、上記何れかの特徴に加えて、前記後段部が、前記ガス流の流線が４５度以上屈曲する屈曲個所を２個所以上有する平板状のガス流路空間を有し、少なくとも１ヶ所以上の前記屈曲個所においてその上流側と下流側で前記ガス流路空間の前記ガス流の流線に垂直な断面での断面積が拡大していることを第７の特徴とする。
【００２３】
更に、本発明に係る化学的気相成長装置は、上記何れかの特徴に加えて、複数の前記ガス供給配管から各別に前記反応室内に至るガス流路を複数備え、前記各ガス流路が前記ガス流路構造を備えていることを第８の特徴とする。
【００２４】
更に、本発明に係る化学的気相成長装置は、上記第８の特徴に加えて、前記複数のガス流路の前記各ガス流路構造において、前記前段部同士が多段に積層されて一体に形成され、前記後段部同士が多段に積層されて一体に形成されていることを第９の特徴とする。
【００２５】
更に、本発明に係るガス流路装置は、ガス供給配管から送入されるガスを受け入れて反応室内に搬送供給するためのガス流路装置であって、上記第１乃至第９の何れかの特徴の化学的気相成長装置のガス流路構造を備えることを特徴とする。
【発明の効果】
【００２６】
上記第１乃至第３の特徴の化学的気相成長装置によれば、前段部の衝突放散構造部に高速で流入したガス流が開放壁構造に衝突して放散する際に、一部開口空間内に乱流が生じて流速が低下するとともに均等化されるため、誘導放出構造部内のガス流路空間内で流速分布が定在化せずに、ガス流の流線（流れ方向）に垂直な断面内での流速分布のバラツキが抑制される。また、衝突放散構造部の狭い一部開口空間内より広い誘導放出構造部内のガス流路空間に放出されるため更に流速が低下する。更に、誘導放出構造部内のガス流路空間が平板状であるため、ガス流路空間内でのガス流の対流が抑制されて層流となる。この結果、後段部に送出される時点でガス流が安定して減速されるため、最終的に後段部から放出されるガス流の流速分布のバラツキを従来構造に比べて大幅に抑制することができる。
【００２７】
また、従来構造では、本特徴のガス流路構造の後段部に相当するガス流路装置内にガス流が放出されるノズル孔の口径精度に大きく影響を受けていたが、本特徴構成では、従来構造のようなノズル孔を必要としないため、ノズル孔の加工精度に起因する流速分布のバラツキが発生しない。
【００２８】
更に、衝突放散構造部の一部開口空間の容積は、細径のガス供給配管から送入されるガス流を受け止めれば十分であるので小さくできるため、前段部全体の容積も小さくでき、前段部のガス流路内壁の表面積を大きくせずにガス流速の抑制が可能となり、原料ガスに含まれる不純物のメモリ効果を抑制できる。また、前段部のガス流路内壁の表面積を抑制できることから、加工が容易な金属を用いて前段部を構成可能となる。
【００２９】
以上の結果、本特徴の化学的気相成長装置により成長した堆積物の基板面内での膜質及び特性のバラツキを抑制でき、高性能なデバイスの作製が可能となる。
【００３０】
上記第４の特徴の化学的気相成長装置によれば、誘導放出構造部のガス流路空間が屈曲した平板状に構成されているため、ガス流路空間内で更にガス流が減速するとともに、ガス流の流線（流れ方向）に垂直な断面内での流速分布のバラツキが抑制され、最終的に後段部から放出されるガス流の流速分布のバラツキを従来構造に比べて大幅に抑制することができる。
【００３１】
上記第５の特徴の化学的気相成長装置によれば、放出口が形成されている端面の面積より放出口の開口面積が狭いことから、前段部からガス流が放出される際に、放出口の端縁部でガス流の攪拌が生じて流速分布の定在化が更に抑制され、後段部に送入する時点での流速分布のバラツキがより効果的に抑制される。
【００３２】
上記第６の特徴の化学的気相成長装置によれば、ガス供給配管を反応室の隔壁を通して挿入する必要がないため、ガス供給配管のガス流路構造への取り付け方向の自由度が増すため、複数の原料ガスの反応室内に同時に供給するためのガス流路構造の多段化が容易になる。
【００３３】
上記第７の特徴の化学的気相成長装置によれば、前段部から送入されたガス流が平板状のガス流路空間の屈曲個所において流線（流れ方向）が４５度以上屈曲するため、ガス流の流速が大きい程、平板状のガス流路空間の壁部に強く衝突して乱流状態が生成され、流速が低下するとともに流路断面内での流速分布が均等化される。また、屈曲個所において流路断面が拡大するため、流速の低下と流速分布の均等化が促進される。この結果、後段部から反応室内の基板面上に放出されるガス流の流速分布のバラツキを従来構造に比べて大幅に抑制することができる。
【００３４】
上記第８の特徴の化学的気相成長装置によれば、複数のガス種を各別に、夫々のガス流の流速分布のバラツキを十分に抑制して同じ基板面上に供給することができる。夫々のガス流の流速分布のバラツキが抑制されることから、ガス種によって重量が異なっても、重量による流速分布のバラツキの影響度が緩和され、基板面内で均質な膜質及び組成比の堆積物の成長が容易となる。
【００３５】
上記第９の特徴の化学的気相成長装置によれば、複数のガス流路に対するガス流路構造を小型化でき、取り扱いが容易となる。
【００３６】
上記特徴のガス流路装置によれば、化学的気相成長装置に使用することで、上記第１乃至第９の特徴の化学的気相成長装置の作用効果を奏する化学的気相成長装置を提供することができる。
【発明を実施するための最良の形態】
【００３７】
以下、本発明に係る化学的気相成長装置（以下、適宜「本発明装置」と略称する）の実施形態を図面に基づいて説明する。以下の説明では、ＧａＸＡｌ１−ＸＮ（０≦Ｘ≦１）等の窒化物半導体の成長に使用可能な化学的気相成長（ＣＶＤ）装置（例えば、有機金属化学的気相成長（ＭＯＣＶＤ）装置）を想定して説明する。
【００３８】
〈第１実施形態〉
図１は、本発明装置１の第１実施形態における要部の概略構成を模式的に示す要部断面透視図であり、ガス供給配管９０，９１から送入される２種類の原料ガスＡ，Ｂを各別に受け入れて反応室内１００のサセプタ１０１の表面１０２（基板載置面）に載置された基板１０３上に、横方向（図面左方向）から搬送供給する本発明に係るガス流路装置２が、反応室隔壁１０４へ取り付けられた状態を模式的に示す。図１は、基板載置面１０２の中心を通り、ガス流の搬送供給方向（ｘ方向）に平行で基板載置面１０２に垂直な平面での断面図である。また、理解の簡単のため、図１中のガス流路装置２内の原料ガスＡ，Ｂの流れる流路空間にドット状パターンを付している。尚、ガス流路装置２より下流側の基板載置面の上方領域１０５には、ガス流路装置２から供給された原料ガスＡ，Ｂが周辺部へ拡散せずに、上方領域１０５を一定の断面流速で横方向（図面右方向）へ流動可能にするための流路断面積一定の石英製のカバー１０６が設けられている。
【００３９】
尚、図１を含む各図に説明の便宜のために表示されているｘｙｚ座標は、各図共通に、ｘ方向を基板１０３の表面及び当該表面上に供給されるガス流の流線（流れ方向）と平行な方向、ｙ方向を基板１０３の表面と平行で、当該表面上に供給されるガス流の流線と垂直な方向、ｚ方向を基板１０３の表面と垂直な方向と規定する。また、本発明装置１の図１に図示されていない部分（供給ガス及び排気ガスの配管系統、加熱機構等）は、一般的なＣＶＤ装置或いはＭＯＣＶＤ装置と同じであるので詳細な説明は省略する。
【００４０】
図１に示すように、第１実施形態では、ガス流路装置２は、原料ガスＡ，Ｂ毎に独立したガス流路を備え、反応室隔壁１０４の外側に取り付けられた２つの前段部１０，２０と反応室隔壁１０４の内側に取り付けられた２つの後段部４０，４１で構成される。前段部１０と後段部４０で原料ガスＡを搬送供給する第１のガス流路が形成され、前段部２０と後段部４１で原料ガスＢを搬送供給する第２のガス流路が形成される。
【００４１】
図２及び図３に示すように、２つの前段部１０，２０は何れも、ガス供給配管９０，９１から夫々送入されたガス流を衝突させて放散させる衝突放散構造部１１，２１と、衝突放散構造部１１，２１から放散されたガス流を外部に開口した放出口１４，２４に導いて後段部４０，４１に向けて放出する誘導放出構造部１２，２２とを備えて構成される。図２及び図３は前段部１０，２０を各別に示す３面図で、（Ａ）が前段部１０，２０の内部構造を上面（＋ｚ方向）側から透視した平面透視図で、（Ｂ）が前段部１０，２０の正面図で、（Ｃ）が前段部１０，２０の内部構造を側面（−ｙ方向）側から透視した側面透視図である。
【００４２】
原料ガスＡ用の前段部１０では、図２に示すように、衝突放散構造部１１は、誘導放出構造部１２に向けて１面が全面開口し、他の１面の一部がガス供給配管９０と接続する送入口１３として開口する５面の壁によって囲まれた直方体状の一部開口空間１５を備えて構成され、誘導放出構造部１２は、Ｌ字型に屈曲した平板状のガス流路空間１６を備えて構成される。誘導放出構造部１２の一部開口空間１５は、開口面１５ｂを介して誘導放出構造部１２のガス流路空間１６の上流端中央部分に連通する。
【００４３】
ガス流路空間１６の流路断面積Ｓ２（＝ｈ２×ｗ２）は、一部開口空間１５の開口面積Ｓ１（＝ｈ１×ｗ１）より大きく、ガス流路空間１６の内容積Ｖ２（＝Ｓ２×（ｌ２＋ｌ３））は、一部開口空間１５の内容積Ｖ１（＝Ｓ１×ｄ１）より大きい。更に、放出口１４の開口面積Ｓ３（＝ｈ３×ｗ２）は、ガス流路空間１６の流路断面積Ｓ２より小さくなっている。尚、ガス流路の断面とは、ガス流の流線（流れ方向）に垂直な断面を意味する。また、平板状のガス流路空間１６とは、互いに平行に対向する２つの平面壁に挟まれた扁平な空間を意味し、第１実施形態では、２つの平面壁は対向しつつガス流の流線に沿って直角に屈曲している。
【００４４】
図２に示す構成により、原料ガスＡ用の前段部１０では、送入口１３から高速で流入したガス流が一部開口空間１５の送入口１３に対向する壁面１５ａに先ず衝突して散乱し、乱流状態となって開口面１５ｂを通過してガス流路空間１６に無秩序に流入してガス流の流線に垂直な幅方向の左右にも速やかに広がる。この結果、ガス流路空間１６の流路断面内でのガス流の流速分布が、左右の端部においても極端に低下せずにある程度均等化される。ガス流路空間１６内に流入したガス流は、更に、Ｌ字型に屈曲した屈曲個所の壁面１６ａに衝突して散乱するため、更に減速するとともに、ガス流路断面内での流速分布のバラツキが抑制される。また、ガス流路空間１６の屈曲個所を通過したガス流は、放出口１４の高さｈ３が、ガス流路空間１６の高さｈ２より低いため、ガス流路空間１６の上下の対向する壁面近傍のガス流は、放出口１４の上下両側の端面に衝突して散乱するため、更に減速するとともに、ガス流路断面内での流速分布のバラツキが抑制される。
【００４５】
一方、原料ガスＢ用の前段部２０では、図３に示すように、衝突放散構造部２１は、誘導放出構造部２２に向けて１面が全面開口した５面の平面壁によって囲まれた直方体状の一部開口空間２５を備えて構成され、誘導放出構造部２２は、平板状のガス流路空間２６を備えて構成される。ガス供給配管９１と接続する送入口２３は、ガス流路空間２６の１つの端面内の中央に形成され、送入口２３と一部開口空間２５の開口面２５ｂは対向している。衝突放散構造部２１の一部開口空間２５は、誘導放出構造部２２のガス流路空間２６に包囲されており、開口面２５ｂを介してガス流路空間２６と連通している。
【００４６】
ガス流路空間２６の内容積Ｖ４（＝ｈ４×ｗ４×ｄ４−Ｖ３’：Ｖ３’は一部開口空間１５の外容積）は、一部開口空間２５の内容積Ｖ３（＝ｈ４×ｗ３×ｄ３）より大きい。更に、放出口２４の開口面積Ｓ６（＝ｈ５×ｗ５）は、ガス流路空間２６の流路断面積Ｓ６（＝ｈ４×ｗ４）より小さくなっている。
【００４７】
図３に示す構成により、原料ガスＢ用の前段部２０では、送入口２２から高速で流入したガス流が開口面２５ｂを通過して一部開口空間２５の送入口２２に対向する壁面２５ａに先ず衝突して散乱し、乱流状態となって開口面２５ｂを通過してガス流路空間２６に無秩序に流入してガス流の流線に垂直な幅方向の左右にも速やかに広がる。この結果、ガス流路空間２６の流路断面内でのガス流の流速分布がある程度均等化される。ガス流路空間２６内に流入して左右に広がったガス流は、衝突放散構造部２１の両側を回り込んで、放出口２４に向かって流れ込む。衝突放散構造部２１の両側を回り込んだガス流は、放出口２４の高さｈ５が、ガス流路空間２６の高さｈ４より短いため、ガス流路空間２６の上下の対向する壁面近傍のガス流は、放出口２４の上下両側の端面に衝突して散乱するため、更に減速するとともに、ガス流路断面内での流速分布のバラツキが抑制される。
【００４８】
第１実施形態では、２つの前段部１０，２０は何れも、一部開口空間１５やガス流路空間１６の一部または全部を切削加工により形成した２以上の金属部材（例えば、ステンレス鋼ＳＵＳ３０４）を溶接或いはビス止め等によって気密接合して組み立てて構成する。これにより、石英材を使用する従来のガス流路装置に比べて、前段部の製作が容易に行えるとともに、多段に積層して一体化するのも容易となる。尚、前段部１０，２０はガス流路内壁の表面積が、後段部４０，４１より小さいため、石英材に比べてメモリ効果の大きい金属材料の使用が可能であるが、メモリ効果の小さい石英材等のセラミック製としてもよい。
【００４９】
第１実施形態では、後段部４０，４１は、図１４に示す従来のガス流路装置７０の後段部７１と同様の上面視略三角形状の構造で石英製のものを使用している。具体的には、後段部４０は、図４に示すように、図１４に示す従来のガス流路装置７０の後段部７２と同様の上面視略三角形状で下流へ行く程に流路断面の幅がテーパー状に広がり高さが低くなる構造となっている。後段部４１は、後段部４０を上下反転させた後段部４０，４１の境界面（ｘｙ面）を挟んで対称な形状である。
【００５０】
第１実施形態では、後段部４０，４１に従来のガス流路装置と同様の構造を採用しているが、２つの前段部１０，２０に本発明装置１に特有なガス流路構造を採用したため、基板１０３の表面上の堆積物の基板面内での膜質のバラツキを、図１４に示す従来のガス流路装置に比べて大幅に改善できた。
【００５１】
図５に、図１に示すガス流路装置２を用いて、原料ガスＡとしてＴＭＡとキャリアガス（Ｈ２）、原料ガスＢとしてアンモニア（ＮＨ３）とキャリアガス（Ｈ２）を夫々供給し、基板１０３上にＡｌＮ（窒化アルミニウム）膜を成長させ、ｙ方向での屈折率と膜厚の面内分布を測定した結果を示す。原料ガスの断面流速（流量をカバー１０６内の断面積で除した平均流速）を、２．４３８ｍ／秒と１．６２５ｍ／秒と異ならせてガス流量の違いによる影響も同時に調べた。これは、流速が遅い場合に、流速分布が均一化されても、慣性力の大きい流量の大きい状態で膜厚の面内分布が乱れるガス流路装置は性能が低いと判断すべきであるためである。
【００５２】
測定点は、基板（２インチ径ウェハ）の中心を通るｙ方向の直線上の１１点である。膜厚の測定値は１１点の最大値で正規化して表示しているが、実際には、測定精度の確保できる５０〜１００ｎｍの範囲内の膜厚としている。屈折率と膜厚の測定は、レーザエリプソメータを用いて同時に測定している。ＡｌＮは反応速度が速いため原料ガス流の流速を上昇させないと均一性が出し難くい。一方、流速分布のバラツキは流速が速いほど顕著に現れる。従って、ＡｌＮ膜を用いることで、流速分布のバラツキの程度を効果的に調べることができる。
【００５３】
図６に、比較例として、図１４に示す従来のガス流路装置を用いて、基板１０３上にＡｌＮ膜を成長させ、ｙ方向での屈折率と膜厚の面内分布を測定した結果を示す。原料ガスのカバー１０６内の断面流速を、１．４６４ｍ／秒と０．９７ｍ／秒と異ならせてガス流量の違いによる影響も同時に調べた。
【００５４】
図５及び図６より、本発明装置１のガス流路装置２の方が、従来のガス流路装置に比べて、基板面内での屈折率分布のバラツキが大幅に抑制されていることが分かり、均質な膜質が得られることが明らかとなった。
【００５５】
尚、図５に示す膜厚の面内分布を測定結果において、ガス流速が低い方が、基板の端縁部（中心から遠い部分）ほど膜厚が薄くなる傾向が大きいが、この点については第２実施形態の同様の測定結果と合わせて考察する。
【００５６】
〈第２実施形態〉
図７は、本発明装置１の第２実施形態における要部の概略構成を模式的に示す要部断面透視図であり、ガス供給配管９０，９１から送入される２種類の原料ガスＡ，Ｂを各別に受け入れて反応室内１００のサセプタ１０１の表面１０２（基板載置面）に載置された基板１０３上に、横方向（図面左方向）から搬送供給する本発明に係るガス流路装置３が、反応室隔壁１０４へ取り付けられた状態を模式的に示す。図７は、基板載置面１０２の中心を通り、ガス流の搬送供給方向（ｘ方向）に平行で基板載置面１０２に垂直な平面での断面図である。また、理解の簡単のため、図７中のガス流路装置３内の原料ガスＡ，Ｂの流れる流路空間にドット状パターンを付している。本発明装置１の図７に図示されていない部分（供給ガス及び排気ガスの配管系統、加熱機構等）は、一般的なＣＶＤ装置或いはＭＯＣＶＤ装置と同じであるので詳細な説明は省略する。図７中、図１〜図３と同じ部位には同じ符号を付して説明する。
【００５７】
図７に示すように、第２実施形態では、ガス流路装置３は、原料ガスＡ，Ｂ毎に独立したガス流路を備え、反応室隔壁１０４の外側に取り付けられた２つの前段部１０，２０と反応室隔壁１０４の内側に取り付けられた２つの後段部５０，５１で構成される。前段部１０と後段部５０で原料ガスＡを搬送供給する第１のガス流路が形成され、前段部２０と後段部５１で原料ガスＢを搬送供給する第２のガス流路が形成される。
【００５８】
第２実施形態の本発明装置１では、ガス流路装置３の後段部５０，５１の構造が本発明に特有の構造を有し、従来のガス流路装置の後段部と類似する構造の後段部を備えた第１実施形態と相違する。第２実施形態では、２つの前段部１０，２０は第１実施形態と全く同じである。従って、前段部１０，２０についての重複する説明は割愛する。
【００５９】
図８に示すように、後段部５０は、４個所で直角に屈曲する平板状のガス流路空間５２〜５６を有し、ガス流路空間５２からガス流路空間５３への最初の屈曲箇所と、ガス流路空間５４からガス流路空間５５への３番目の屈曲箇所の２個所で、ガス流路の断面積が拡大する構造となっている。図８は後段部５０を各別に示す４面図で、（Ａ）が後段部５０の内部構造を上面（＋ｚ方向）側から透視した平面透視図で、（Ｂ）が後段部５０の正面図で、（Ｃ）が後段部５０の背面図で、（Ｄ）が後段部５０の内部構造を側面（−ｙ方向）側から透視した側面透視図である。
【００６０】
後段部５０におけるガス流路の断面積の拡大は、具体的には、ガス流路断面の幅（ｙ方向の寸法）が拡大しており、例えば、１回目で約１．７５倍、２回目で約１．４３倍、合計で約２．５倍に拡大している。ガス流路空間５２の上流端に前段部１０からのガス流を受け入れるガス流路空間５２のガス流路断面積と同じ開口面積の送入口５７が開口し、ガス流路空間５６の下流端に反応室内１００へガス流を放出するガス流路空間５６のガス流路断面積と同じ開口面積の放出口５８が開口している。尚、ガス流路断面とは、ガス流の流線（流れ方向）に垂直な断面を意味する。また、平板状のガス流路空間５２〜５６は、夫々が、互いに平行に対向する２つの平面壁に挟まれた扁平な空間を意味し、２つの平面壁が対向しつつガス流の流線に沿って、隣接するガス流路空間との間で直角に屈曲している。
【００６１】
後段部５０は、前段部１０，２０と同様に金属部材（例えば、ステンレス鋼ＳＵＳ３０４）で作製してもよいが、ガス流路内壁面の表面積が前段部１０，２０より広くなるため、メモリ効果低減の観点から、石英材等のセラミックで作製するのが好ましい。また、後段部５０のガス流路内壁面の表面積は、第１実施形態の後段部４０，４１のガス流路内壁面の表面積と同じになるように各ガス流路空間５２〜５６の流路長を設定すればよい。
【００６２】
図８に示す構成により、後段部５０では、前段部１０で減速され流速分布のバラツキが抑制されたガス流が送入口５７から流入し、ガス流路空間５２を通ってガス流路空間５３に移行する屈曲個所でガス流路空間５３の壁面５３ａに衝突して散乱し、ガス流路断面積の拡大したガス流路空間５３に流入するため、更に減速するとともに、ガス流路断面内での流速分布のバラツキが更に抑制される。ガス流路空間５３を通過したガス流は、ガス流路空間５４に移行する屈曲個所でガス流路空間５４の壁面５４ａに衝突して散乱するため、更に減速するとともに、ガス流路断面内での流速分布のバラツキが抑制される。ガス流路空間５４を通過したガス流は、ガス流路空間５５に移行する屈曲個所でガス流路空間５５の壁面５５ａに衝突して散乱し、ガス流路断面積の拡大したガス流路空間５５に流入するため、更に減速するとともに、ガス流路断面内での流速分布のバラツキが抑制される。そして、ガス流路空間５５を通過したガス流は、ガス流路空間５６に移行する屈曲個所でガス流路空間５６の壁面５６ａに衝突して散乱するため、更に減速するとともに、ガス流路断面内での流速分布のバラツキが抑制され、放出口５８から反応室内１００へ放出される。
【００６３】
以上のように、第２実施形態では、第１実施形態と比較して、後段部５０の平板状のガス流路空間５２〜５６の複数の屈曲構造とガス流路断面積の拡大によって、更に、送入口５７から流入したガス流が減速され、ガス流路断面内での流速分布のバラツキが抑制されて放出口５８から反応室内１００へ放出される。
【００６４】
後段部５１は、図８に示す後段部５０を上下反転させた後段部５０，５１の境界面（ｘｙ面）を挟んで対称な形状であり、実質的な構造は後段部５０と同じであるので、重複する説明は割愛する。
【００６５】
図９に、図７に示すガス流路装置２を用いて、第１実施形態と同様の要領で、原料ガスＡとしてＴＭＡとキャリアガス（Ｈ２）、原料ガスＢとしてアンモニア（ＮＨ３）とキャリアガス（Ｈ２）を夫々供給し、基板１０３上にＡｌＮ（窒化アルミニウム）膜を成長させ、ｙ方向での屈折率と膜厚の面内分布を測定した結果を示す。原料ガスのカバー１０６内の断面流速を、２．０３ｍ／秒、０．８２ｍ／秒、０．４２ｍ／秒、及び、０．２５ｍ／秒と８倍以上の流速比で４通りに異ならせて流速の違いによる影響も同時に調べた。測定点は、基板（２インチ径ウェハ）の中心を通るｙ方向の直線上の１１点である。膜厚の測定値は１１点の最大値で正規化して表示している。屈折率と膜厚の測定等は、第１実施形態と同様である。
【００６６】
図１０に、比較例として、図１４に示す従来のガス流路装置を用いて、基板１０３上にＡｌＮ膜を成長させ、ｙ方向での屈折率と膜厚の面内分布を測定した結果を示す。原料ガスのカバー１０６内の断面流速を、１．４６４ｍ／秒、０．９７ｍ／秒、０．７３２ｍ／秒、０．４８５ｍ／秒、及び、０．２６７ｍ／秒と約６倍の流速比で５通りに異ならせて流速の違いによる影響も同時に調べた。尚、図１０の測定結果の高速側の一部は、図６の測定結果と同じである。
【００６７】
図９及び図１０より、本発明装置１のガス流路装置２の方が、従来のガス流路装置に比べて、基板面内での屈折率分布のバラツキが大幅に抑制されていることが分かり、均質な膜質が得られることが明らかとなった。
【００６８】
更に、図９及び図５の測定結果より、第２実施形態では、後段部５０，５１で更なる流速分布の抑制を施した結果、従来のガス流路装置と同様の構造の後段部４０，４１を使用した第１実施形態に比べて、ガス流速が低い場合でも、基板面内での屈折率分布のバラツキが効果的に抑制されていることが分かる。
【００６９】
次に、本発明装置の別実施形態について説明する。
【００７０】
〈１〉上記各実施形態では、ガス流路装置２，３は２系統のガス流路を備えている場合を想定して説明したが、ガス流路の系統数は２に限定されるものではなく、１または３以上であっても構わない。また、ガス流路の全てが原料ガス供給に使用されるのではなく、一部のガス流路が、バリアガス供給に使用されても構わない。
【００７１】
図１１の要部断面透視図に、第２実施形態のガス流路装置３を３系統のガス流路用に変形した本発明装置１の別実施形態における要部の概略構成を模式的に示す。図１１は、基板載置面１０２の中心を通り、ガス流の搬送供給方向（ｘ方向）に平行で基板載置面１０２に垂直な平面での断面図である。また、理解の簡単のため、図１１中のガス流路装置４内の原料ガスＡ，ＢとバリアガスＣの流れる流路空間にドット状パターンを付している。本発明装置１の図１１に図示されていない部分（供給ガス及び排気ガスの配管系統、加熱機構等）は、一般的なＣＶＤ装置或いはＭＯＣＶＤ装置と同じであるので詳細な説明は省略する。図１１中、図１及び図７と同じ部位には同じ符号を付して説明する。
【００７２】
図１１に示す別実施形態では、ガス流路装置４は、原料ガスＡ，ＢとバリアガスＣ毎に独立したガス流路を備え、反応室隔壁１０４の外側に取り付けられた３つの前段部１０，２０，３０と反応室隔壁１０４の内側に取り付けられた３つのガス流路を備えた後段部６０で構成される。前段部１０と後段部６０の上段部６１でバリアガスＣを搬送供給する第１のガス流路が形成され、前段部２０と後段部６０の中段部６２で原料ガスＡを搬送供給する第２のガス流路が形成され、前段部３０と後段部６０の下段部６３で原料ガスＢを搬送供給する第３のガス流路が形成される。
【００７３】
前段部１０，２０は、第１及び第２実施形態の各前段部１０，２０と同じであり、前段部３０は、前段部１０を上下反転させた形状で、前段部１０，２０，３０の全体で上下対称な構造となっている。
【００７４】
後段部６０は、３つのガス流路を夫々個別に形成した個別の後段部の組み立てたものではなく、１つの後段部が３つのガス流路を備えて構造となっている。例えば、第１のガス流路の上側の部材と、第１と第２のガス流路の間の部材と、第２と第３のガス流路の間の部材と、第３のガス流路の下側の部材を接合して作製される。
【００７５】
〈２〉上記各実施形態及び別実施形態において、ガス流路装置２，３，４の前段部１０，２０，３０の構造及び素材は上記各実施形態のものに限定されるものではない。また、ガス供給配管９０，９１のガス流路装置２，３，４への挿入方向も上記各実施形態のものに限定されるものではない。
【００７６】
例えば、ガス供給配管９０を縦方向（±ｚ方向）から挿入してガス流路装置２，３，４と接続する前段部の構造として、図２に示す前段部１０に代えて、図１２に示す構造の前段部２０ａでもよい。前段部２０ａは、図３に示す前段部２０の変形例で、前段部２０とは、送入口２３の位置が異なり、衝突放散構造部２１の壁面に設けられている。その他の構成は、前段部２０と同じであるので、重複する説明は省略する。
【００７７】
更に、ガス供給配管９０を横方向（−ｘ方向）から挿入してガス流路装置２，３，４と接続する前段部の構造として、図３に示す前段部２０に代えて、図１３に示す構造の前段部１０ａでもよい。前段部１０ａは、図２に示す前段部１０の変形例で、前段部１０とは、送入口１３の位置が異なり、衝突放散構造部１１の壁面ではなく、衝突放散構造部１１の開口面１５ｂに対向する誘導放出構造部１２の壁面に設けられている。その他の構成は、前段部１０と同じであるので、重複する説明は省略する。
【００７８】
更に、ガス供給配管９０を縦方向（±ｚ方向）から挿入してガス流路装置２，３，４と接続する前段部１０，２０ａに代えて、ガス供給配管９０を横方向（−ｘ方向）から挿入してガス流路装置２，３，４と接続する前段部２０，１０ａを使用しても良いし、逆に、ガス供給配管９０を横方向（−ｘ方向）から挿入してガス流路装置２，３，４と接続する前段部２０，１０ａに代えて、ガス供給配管９０を縦方向（±ｚ方向）から挿入してガス流路装置２，３，４と接続する前段部１０，２０ａを使用しても良い。
【００７９】
〈３〉更に、上記各実施形態及び別実施形態において、ガス流路装置２，３，４の前段部１０，２０，３０の放出口１４，２４の開口面積は、ガス流路空間１６の流路断面積Ｓ２より小さくなっている場合を説明したが、放出口１４，２４の開口面積は、前段部１０，２０，３０の下流側端面で狭小化せずに、前段部１０，２０，３０を取り付ける反応室隔壁１０４の貫通孔の開口断面積だけを狭小化するようにしても同様の効果を奏することができる。
【００８０】
〈４〉更に、上記各実施形態及び別実施形態において、ガス流路装置２，３，４の前段部１０，２０，３０は、反応室隔壁１０４の外側に設置する場合を説明したが、ガス流路装置２，３，４の全体を反応室隔壁１０４の内側に設置するようにしても構わない。但し、この場合は、ガス供給配管９０，９１，９２は横方向（−ｘ方向）からガス流路装置２，３，４へ挿入するのが好ましい。
【００８１】
〈５〉上記各実施形態における、ガス流路装置２，３，４の各部の寸法は、基板１０３の直径に合わせて適正な値に設定すればよい。例えば、５インチウェハ（直径約５０ｍｍ）の場合、後段部の放出口は、幅（ｙ方向）が約１００ｍｍ、高さ（ｚ方向）が約５ｍｍに開口する。
【００８２】
〈６〉上記第２実施形態、別実施形態〈１〉では、後段部５０，５１，６０の各屈曲個所の屈曲角度が直角の場合を説明したが、必ずしも直角である必要はなく、各屈曲個所で流速分布のバラツキ抑制効果を奏することのできる角度、例えば、４５度以上であればよい。また、屈曲個所も４個所に限定されるものではなく、２個所以上あればよい。
【００８３】
〈７〉上記各実施形態における反応室は横型構造に限定されるものではなく、縦型構造でもよく、また、反応室内１００の基板載置面１０２の個数も１つに限定されるものではなく、また、１つの基板載置面１０２に複数の基板を載置可能な形態であっても構わない。反応室内１００の基板載置面１０２が複数の場合には、基板載置面１０２毎に、ガス流路装置２，３，４を設けるようにしても構わない。
【産業上の利用可能性】
【００８４】
本発明に係る化学的気相成長装置は、ＧａＸＡｌ１−ＸＮ（０≦Ｘ≦１）等の窒化物半導体の成長に使用可能な化学的気相成長装置、特に、有機金属化学的気相成長装置に利用可能である。
【図面の簡単な説明】
【００８５】
【図１】本発明に係る化学的気相成長装置の第１実施形態における要部の概略構成を模式的に示す要部断面透視図
【図２】本発明に係る化学的気相成長装置の第１実施形態におけるガス流路装置の前段部の第１の構成例を示す（Ａ）内部構造を上面側から透視した平面透視図、（Ｂ）正面図、及び、（Ｃ）内部構造を側面側から透視した側面透視図
【図３】本発明に係る化学的気相成長装置の第１実施形態におけるガス流路装置の前段部の第２の構成例を示す（Ａ）内部構造を上面側から透視した平面透視図、（Ｂ）正面図、及び、（Ｃ）内部構造を側面側から透視した側面透視図
【図４】本発明に係る化学的気相成長装置の第１実施形態におけるガス流路装置の後段部の一構成例を示す（Ａ）平面図と（Ｂ）側方断面透視図
【図５】本発明に係る化学的気相成長装置の第１実施形態におけるガス流路装置を用いて成長させたＡｌＮ膜の屈折率と膜厚の面内分布の測定結果を示す図
【図６】従来のガス流路装置を用いて成長させたＡｌＮ膜の屈折率と膜厚の面内分布の測定結果を示す図
【図７】本発明に係る化学的気相成長装置の第２実施形態における要部の概略構成を模式的に示す要部断面透視図
【図８】本発明に係る化学的気相成長装置の第２実施形態におけるガス流路装置の後段部の一構成例を示す（Ａ）内部構造を上面側から透視した平面透視図、（Ｂ）正面図、（Ｃ）背面図、及び、（Ｄ）内部構造を側面側から透視した側面透視図
【図９】本発明に係る化学的気相成長装置の第２実施形態におけるガス流路装置を用いて成長させたＡｌＮ膜の屈折率と膜厚の面内分布の測定結果を示す図
【図１０】従来のガス流路装置を用いて成長させたＡｌＮ膜の屈折率と膜厚の面内分布の測定結果を示す図
【図１１】本発明に係る化学的気相成長装置の別実施形態における要部の概略構成を模式的に示す要部断面透視図
【図１２】本発明に係るガス流路装置の前段部の他の構成例を示す（Ａ）内部構造を上面側から透視した平面透視図、（Ｂ）正面図、及び、（Ｃ）内部構造を側面側から透視した側面透視図
【図１３】本発明に係るガス流路装置の前段部の他の構成例を示す（Ａ）内部構造を上面側から透視した平面透視図、（Ｂ）正面図、及び、（Ｃ）内部構造を側面側から透視した側面透視図
【図１４】従来構造のガス流路装置の概略構成を示す（Ａ）平面図と（Ｂ）側方断面透視図
【図１５】従来の化学的気相成長装置における複数のガス流路装置の構成例を模式的に示す図
【図１６】従来構造のガス流路装置における流速分布のバラツキの問題点を説明する図
【符号の説明】
【００８６】
１：          本発明に係る化学的気相成長装置
２，３，４：  本発明に係るガス流路装置
１０，１０ａ，２０，２０ａ，３０：  前段部
１１，２１：  衝突放散構造部
１２，２２：  誘導放出構造部
１３，２３：  前段部の送入口
１４，２４：  前段部の放出口
１５，２５：  一部開口空間
１５ａ，２５ａ：  一部開口空間の衝突壁面
１５ｂ，２５ｂ：  一部開口空間の開口面
１６，２６：  平板状のガス流路空間
１２，２２：  誘導放出構造部
４０，４１，５０，５１，６０：  後段部
５２〜５６：  平板状のガス流路空間
５３ａ〜５６ａ：  ガス流路空間の衝突壁面
５７：        後段部の送入口
５８：        後段部の放出口
６１：        後段部の上段部
６２：        後段部の中段部
６３：        後段部の下段部
７０：        従来のガス流路装置
７１：        従来のガス流路装置の箱部分
７２：        従来のガス流路装置の後段部
７３：        従来のガス流路装置の放出口
９０，９１、９２，９３：ガス供給配管
９４：        ガス供給配管のノズル孔
１００：      反応室内
１０１：      サセプタ
１０２：      基板載置面
１０３：      基板
１０４：      反応室隔壁
１０５：      基板載置面の上方領域
１０６：      カバー
Ａ，Ｂ：      原料ガス
Ｃ：          バリアガス
ｄ１：        前段部の一部開口空間の奥行き
ｄ４：        前段部のガス流路空間の奥行き
ｈ１：        前段部の一部開口空間とその開口面の高さ
ｈ２：        前段部のガス流路空間の高さ
ｈ３，ｈ５：  前段部の放出口の高さ
ｈ４：        前段部の一部開口空間とガス流路空間の高さ
ｌ２，ｌ３：  前段部のガス流路空間の流路長
ｗ１，ｗ３：  前段部の一部開口空間とその開口面の幅
ｗ２：        前段部のガス流路空間及び放出口の幅
ｗ４：        前段部のガス流路空間の幅
ｗ５：        前段部の放出口の幅
【図１】
0004838603.tif 000002
【図２】
0004838603.tif 000003
【図３】
0004838603.tif 000004
【図４】
0004838603.tif 000005
【図５】
0004838603.tif 000006
【図６】
0004838603.tif 000007
【図７】
0004838603.tif 000008
【図８】
0004838603.tif 000009
【図９】
0004838603.tif 000010
【図１０】
0004838603.tif 000011
【図１１】
0004838603.tif 000012
【図１２】
0004838603.tif 000013
【図１３】
0004838603.tif 000014
【図１４】
0004838603.tif 000015
【図１５】
0004838603.tif 000016
【図１６】
0004838603.tif 000017